(57)【要約】【課題】本発明の目的は、従来のカウンター、カウンターの接着方法で手間がかかり、かつカウンター上面を傷つける恐れがあった従来の施工方法を改善するもので、カウンターの接着作業において、その作業に使用する取付け部材が用意にカウンター上面より除去可能となることで作業性を改善できる施工部材および接着方法を提供すること、カウンター上面に傷を付ける可能性が少ないカウンター及びカウンターの接着方法を提供することにある。【解決手段】本発明では、端部に他のカウンターとの接着面を備えるカウンター上面に他のカウンターとの位置関係を調整する調整具を取り付けるための取付け部材を備えるカウンターにおいて、前記取付け部材と前記カウンター上面との間に接着剤を備え、前記接着剤が前記取付け部材よりはみ出している接着剤はみ出し部を備えることを特徴とするカウンター。【選択図】  図１
2005075837.tif 000002
【特許請求の範囲】
【請求項１】
端部に他のカウンターとの接着面を備えるカウンター上面に他のカウンターとの位置関係を調整する調整具を取り付けるための取付け部材を備えるカウンターにおいて、
前記取付け部材と前記カウンター上面との間に接着剤を備え、前記接着剤が前記取付け部材よりはみ出している接着剤はみ出し部を備えることを特徴とするカウンター。
【請求項２】
端部に他のカウンターとの接着面を備えるカウンター上面に他のカウンターとの位置関係を調整する調整具を取り付けるための取付け部材を備えるカウンターにおいて、
前記取付け部材と前記カウンター上面との間に、はがし部材を有する接着剤を備えることを特徴とするカウンター。
【請求項３】
請求項１記載のカウンターを使用し、他のカウンターとの位置調整を行った後、接着剤はみ出し部を用いてカウンター上面より取付け部材を除去することを特徴とするカウンターの接着方法。
【請求項４】
請求項２記載のカウンターを使用し、他のカウンターとの位置調整を行った後、はがし部材を用いてカウンター上面より取付け部材を除去することを特徴とするカウンターの接着方法。
【発明の詳細な説明】
【０００１】
【発明の属する技術分野】
本発明は、カウンターの接着に係り、特に施工性に好適なカウンターおよびカウンターの接着方法に関する発明である。
【０００２】
【従来の技術】
従来のカウンターはカウンター上面に連結具や調整ねじなどの調整具を取り付けるための取付け部材として仮着体を備えている。（例えば、特許文献１参照。）。
よって、取付け部材に備えられた調整具によりカウンターの高さ方向や横方向などの位置関係の調整をカウンター下面に潜ることなく、上面側より施工が出来る。
したがって、接着作業に関わる  施工性が著しく向上した。
【０００３】
【特許文献１】
特開平０７−２８４４２１号公報
【０００４】
【発明が解決しようとする課題】
しかしながら、従来のカウンターおよびカウンターの接着方法では、取付け部材として仮着体をカウンターからはずす際に布で包んだハンマーなどによって横方向からたたいて離脱させ、そして離脱後に残った接着剤をへらを用いてかき取る必要があった。
すなわちカウンターに接着剤を何の工夫もなく塗布しているために、接着剤または取付け部材をはがすのに労力を使う必要があった。また、たたく作業などが発生しカウンター上面を傷つける恐れがあった。
本発明は、上記問題を解決するためになされたもので、本発明の目的は、容易に取付け部材をカウンター上面より除去可能であり、カウンター上面に傷を付ける可能性が少ないカウンター及びカウンターの接着方法を提供することにある。
【０００５】
【課題を解決するための手段】
上記目的を達成するために請求項１は、端部に他のカウンターとの接着面を備えるカウンター上面に他のカウンターとの位置関係を調整する調整具を取り付けるための取付け部材を備えるカウンターにおいて、
前記取付け部材と前記カウンター上面との間に接着剤を備え、前記接着剤が前記取付け部材よりはみ出している接着剤はみ出し部を備えることを特徴とするカウンターである。
よって、接着剤はみ出し部が取付け部材よりはみ出している。
したがって、接着剤はみ出し部をつかむことで接着剤、取付け部材を除去することが出来るので、容易に取付け部材をカウンター上面より除去可能であり、カウンター上面に傷を付ける可能性が少なくなる。
【０００６】
また請求項２は、端部に他のカウンターとの接着面を備えるカウンター上面に他のカウンターとの位置関係を調整する調整具を取り付けるための取付け部材を備えるカウンターにおいて、
前記取付け部材と前記カウンター上面との間に、はがし部材を有する接着剤を備えることを特徴とするカウンターである。
よって、接着剤にははがし部材が備えられる。
したがって、はがし部材をつかむことで接着剤および取付け部材を容易に除去可能であり、カウンター上面に傷を付ける可能性が少なくなる。
なおここではがし部材とは、カウンター上面と接着剤の間に位置し、接着剤とは別の材質よりなり接着剤よりはみ出している部分を備えている物である。
材質としては、接着剤の浸透がない材質であれば何でも良く、さらに、はみ出している部分の形状としては、つかみやすいように輪のかたちになっていたり複数の方向にはみ出していても良い。
【０００７】
また請求項３は、請求項１記載のカウンターを使用し、他のカウンターとの位置調整を行った後、接着剤はみ出し部を用いてカウンター上面より取付け部材を除去することを特徴とするカウンターの接着方法である。
よって、取付け部材は接着剤はみ出し部を用いて除去される。
したがって、取付け部材を横からたたくようなことがないので、その際に発生する可能性があるカウンター上面への傷などが付くことがない。
【０００８】
また請求項４は、請求項２記載のカウンターを使用し、他のカウンターとの位置調整を行った後、はがし部材を用いてカウンター上面より取付け部材を除去することを特徴とするカウンターの接着方法である。
よって、取付け部材ははがし部材を用いて除去される。
したがって、取付け部材を横からたたくようなことがないので、その際に発生する可能性があるカウンター上面への傷などが付くことがない。
【０００９】
【発明の実施の形態】
図１は本発明の第一実施例の取り付け部材の設置説明図を示し、図２は第一実施例におけるカウンターレベル合わせの概要を示す。また図３は同じく第一実施例におけるカウンター接着工程の概要を示す。
図１に示すように、接着されるカウンター１ａおよび１ｂのカウンター上面１１ａおよび１１ｂには、取付け部材３ａおよび穴付き取付け部材３ｂが取付けられている。取付け部材３ａはカウンター同士のレベル合わせ（高さ調整）に使用し、穴付き取付け部材３ｂはカウンター同士の接着に使用する。作業の手順としては、カウンターのレベル合わせを行った後にカウンター接着を行う。取付け部材３ａは、カウンター１ａとカウンター１ｂを合わせた際に、取付け部材３ａ同士が隣り合わせになるようにカウンター端部付近に数個取り付けられている。取付け部材３ａの取付け個数はカウンター長さにより増減するが、４箇所程度あれば、カウンターのレベル調整が良好に行える。穴付き取付け部材３ｂは、取付け部材３ａ同様の並びで取り付けられる。本実施例では手前および奥側から各々２番目の計２箇所に穴付き取付け部材３ｂを取付けた状態を示すが、接着面１の長さにより数を増やす場合もある。
【００１０】
次に図２は取付け部材３ａを用いてカウンターのレベル調整を行う概略図である。取付け部材３ａは、カウンター上面の端寄りにレベル調整ねじ２１ａに合う雌ねじが埋め込まれており、相対する取付け部材３ａの雌ねじ１３ａが対角に並ぶようにカウンター１ａおよび１ｂと接着剤４により接着されている。接着剤４は、取付け部材３ａよりも少なくとも一方がはみ出した、接着剤はみだし部４ａを設けている。なおここで接着剤はみだし部４ａを明らかにするために斜線にて表記する。この取付け部材３ａにはカウンター同士のレベルを合わせるために用いる調整具２ａが取付けられる。調整具２ａは後述する複数の部品から構成されている。すなわち、平板を曲げて矩形にし、２箇所に穴をあけた金具１２ａと、その金具１２ａを固定するための固定ねじ１０およびレベルを合わせるために使用するレベル調整ねじ２１ａとレベル調整ねじ用ワッシャ２１ｂにより構成される。
ここでカウンター接着面のレベル調整について詳述する。まずカウンター同士の高さを確認し、どちらかが高い場合、金具１２ａを金具１２ａのレベル調整ねじ２１ａが通る穴が、相手の取付け部材の雌ねじ１３ａに合う位置にあわせて高いカウンター側の取付け部材３ａに固定ねじ１０で固定する。本実施例ではカウンター１ａが高い状態を示すので、左の取付け部材３ａの×印位置に固定ねじ１０で金具１２ａを取り付ける。次に低い方の右側の取付け部材３ａにワッシャ１１ｂを取付けたレベル調整ねじ２１ａで金具１２ａの穴を介して相手の取付け部材３ａの雌ねじ１３ａに取付け、カウンター１ａと同じレベルになるまで調整ねじ１１ａを締め込みカウンター１ｂをひき上げる。この作業を全ての取付け部材３ａで行い、カウンター１ａとカウンター１ｂのレベル出しを行う。
なお、本実施例では相対する取付け部材３ａの雌ねじ１３ａが対角に並ぶようにカウンターに配置するので左右どちらのカウンターが高い場合でも固定ねじを雌ねじと接触させることなく取り付け部材３ａに取り付けることができる。
【００１１】
次に図３はカウンターの接着面１を接着する概略図を示す。穴付き取付け部材３ｂに取付ける第２調整具２ｂはボルト１２とワッシャ１３およびナット１４で構成される。カウンターの接着面１同士の隙間にカウンター接着剤５を流し込み、その後、穴付き取付け部材３ｂの穴にワッシャ１３を付けたボルト１２を通した後、ワッシャ１３およびナット１４で締め付けてカウンター同士をひきつける構成となっている。
以上の作業によりカウンターのレベル調整、カウンター接着面同士の接合が完了する。
次に取付け部材の除去工程について説明する。カウンター接着剤５が硬化後、すべての調整具、第２調整具を取付け部材から取り外す。次に取付け部材をカウンターから取り外すが、この際に、取付け部材からはみ出した接着剤はみ出し部４ａを持ち上げることで、接着剤４をカウンター上面からめくれるように剥がすことができる。この場合、接着剤４は硬化後も軟性を有するウレタン系などであればさらにはがしやすい。よってハンマーで取付け部材を除去するなどの工程を必要としないため、カウンター上面を傷付けることもない。
【００１２】
図４は斜線で図示する接着剤４とカウンター上面１１ａの間にはがし部材６を挿入した第二実施例を示す。この様にはがし部材６があることで、カウンター上面１１ａと接着剤４の一部がカウンター上面から離れた状態となり、このはがし部材６の部分をきっかけに、接着剤４と取付け部材３ａをカウンター上面１１ａからはがすことがより容易となる。
特に冬場など、接着剤の軟性が失われている場合には、このはがし部材６は有効に作用する。さらにここで、はがし部材６は、接着剤４に接着されたままの場合、施工後には施工現場で破棄される部材であるため、はがし部材６に予め離型剤を塗布し、接着剤硬化後にカウンター製造工場ではがし部材６を接着剤４からはずせば、はがし部材６を繰り返し使用することができコストを抑えることができる。
ここで図５は従来の実施例である。
【発明の効果】
本発明によれば、容易に取付け部材をカウンター上面より除去可能であり、カウンター上面に傷を付ける可能性が少ないカウンター及びカウンターの接着方法を提供することが可能となる。
【図面の簡単な説明】
【図１】本発明の第一実施例を示す概要図である。
【図２】本発明の第一実施例でのカウンターのレベル調整を行う概略図である。
【図３】本発明の第一実施例でのカウンターの接着面を接着する概略図である。
【図４】本発明の第二実施例を示す概要図である。
【図５】従来の実施例である。
【符号の説明】
１…接着面
１ａ…カウンター
１ｂ…カウンター
１１ａ…カウンター上面
１１ｂ…カウンター上面
２ａ…調整具
１２ａ…調整金具
２ｂ…第２調整具
３ａ…取付け部材
１３ａ…雌ねじ
３ｂ…穴付き取付け部材
４…接着剤
４ａ…接着剤はみ出し部
５…カウンター接着剤
６…はがし部材
１０…取付けねじ
１２…ボルト
１３…ワッシャ
１４…ナット
２１ａ…レベル調整ねじ
２１ｂ…レベル調整ねじ用ワッシャ
【図１】
2005075837.tif 000003
【図２】
2005075837.tif 000004
【図３】
2005075837.tif 000005
【図４】
2005075837.tif 000006
【図５】
2005075837.tif 000007